(57)【要約】【課題】パネル下方の点検等を行う作業時において、開口部から開閉蓋が落下するのを防止することができると共に、開閉蓋が作業の障害となってしまうのを防止することができる他、パネルの固定状態を解除しなくとも開口部を開口することができる開閉蓋付きパネルを提供する。【解決手段】開口部１６を開閉する開閉蓋６を有する開閉蓋付きパネル２において、一端部８ｂ，１０ｂ，１２ｂ，１４ｂが開閉蓋６に連結され、他端部８ａ，１０ａ，１２ａ，１４ａがこのパネル２に連結されたリンクアーム８，１０，１２，１４を備えたこと。【効果】パネル下方の点検等を行う作業時において、開口部から開閉蓋が落下するのを防止することができると共に、開閉蓋が作業の障害となってしまうのを防止することができる他、パネルの固定状態を解除しなくとも開口部を開口することができる。【選択図】図２
2008231669.tif 000002
【特許請求の範囲】
【請求項１】
開口部を開閉する開閉蓋を有する開閉蓋付きパネルにおいて、一端部が前記開閉蓋に連結され、他端部がこのパネルに連結されたリンクアームを備えたことを特徴とする開閉蓋付きパネル。
【請求項２】
前記開閉蓋が前記開口部を開口状態にしたときに、この開口部の上方に全く重ならない状態に前記開閉蓋を維持できることを特徴とする請求項１に記載の開閉蓋付きパネル。
【請求項３】
前記開閉蓋の下面に、この開閉蓋が前記開口部を開口状態にしたときにこの開閉蓋を略水平状態に支持する支持台を設けたことを特徴とする請求項１または２に記載の開閉蓋付きパネル。
【請求項４】
前記リンクアームが、前記開閉蓋が前記開口部を開口状態にしたときに前記開口部の周縁部の部材と干渉しないような形状に形成されたことを特徴とする請求項１から３のいずれかに記載の開閉蓋付きパネル。
【発明の詳細な説明】
【技術分野】
【０００１】
本発明は、例えば、クリーンルームやオフィスルーム等に敷設されるフリーアクセスフロアのフロアパネルに関し、特に開閉蓋により開閉される開口部を有する開閉蓋付きパネルに関するものである。
【背景技術】
【０００２】
従来のフリーアクセスフロアは、略矩形の平面形状を有するフロアパネルを、角パイプ等を水平の格子状に組んで形成したフレーム構造や、柱状の支持脚で支持することによって構成されていた。
【０００３】
通常、フロアパネルと、その下方のコンクリート下地床面との間の空間には、各種配線や設備機器等が配置されており、これらの点検等の作業を行う場合には、作業者がフロアパネルを取り外した上でその作業を行なっていた。
【発明の開示】
【発明が解決しようとする課題】
【０００４】
しかしながら、上述したような従来のフリーアクセスフロアにおいて、それを構成する各フロアパネルは、その略矩形である平面形状の一辺の長さが対角線の長さよりも短いので、取外したフロアパネルが、このフロアパネルを取外したことにより元の載置場所に形成された略矩形の開口部を通り抜けて、上記空間内に落下してしまうおそれがあるという問題があった。
【０００５】
また、このようなフロアパネルの落下防止のために、例えば、上記空間内の各種配線等の点検等の作業時に取外す必要があるフロアパネルの一辺を、この一辺に対向する隣のフロアパネルの一辺に蝶番で連結することにより、フロアパネルの開閉をその回動動作により行うようになっていた。
【０００６】
ところが、このような蝶番で連結する構造を採用した場合には、フロアパネルは蝶番の構造上の制限を受けて一定角度よりも大きく回動して開くことができないので、最後まで開き切って水平の姿勢になることができず、回動の途中で略垂直の姿勢又は中途半端に傾斜した姿勢で止まることになってしまい、このような姿勢のフロアパネルが上記点検等の作業の障害になってしまうという問題があった。
【０００７】
また近年、耐震等の目的で、フロアパネルを上記フレーム構造や支持脚にネジ止め等により固定してしまう場合があるが、この場合には、フロアパネルを取り外すときにはそのネジ止め等による固定状態を解除しなければならないので、その固定状態の解除のために手間や時間がかかるという問題もあった。
【０００８】
そこで本発明は、上記問題点に鑑みて、パネル下方の点検等を行う作業時において、開口部から開閉蓋が落下するのを防止することができると共に、開閉蓋が作業の障害となってしまうのを防止することができる他、パネルの固定状態を解除しなくとも開口部を開口することができる開閉蓋付きパネルを提供することを課題とするものである。
【課題を解決するための手段】
【０００９】
上記課題を解決するために、本発明による開閉蓋付きパネルは、
開口部を開閉する開閉蓋を有する開閉蓋付きパネルにおいて、一端部が前記開閉蓋に連結され、他端部がこのパネルに連結されたリンクアームを備えたことを特徴とするものである。
【００１０】
また、本発明による開閉蓋付きパネルにおいて、前記開閉蓋が前記開口部を開口状態にしたときに、この開口部の上方に全く重ならない状態に前記開閉蓋を維持できることを特徴とするものである。
【００１１】
また、本発明による開閉蓋付きパネルにおいて、前記開閉蓋の下面に、この開閉蓋が前記開口部を開口状態にしたときにこの開閉蓋を略水平状態に支持する支持台を設けたことを特徴とするものである。
【００１２】
また、本発明による開閉蓋付きパネルにおいて、前記リンクアームが、前記開閉蓋が前記開口部を開口状態にしたときに前記開口部の周縁部の部材と干渉しないような形状に形成されたことを特徴とするものである。
【発明の効果】
【００１３】
このような本発明に係る開閉蓋付きパネルによれば、
開口部を開閉する開閉蓋を有する開閉蓋付きパネルにおいて、一端部が前記開閉蓋に連結され、他端部がこのパネルに連結されたリンクアームを備えたことにより、
パネル下方の点検等を行う作業時において、開口部から開閉蓋が落下するのを防止することができると共に、開閉蓋が作業の障害となってしまうのを防止することができる他、パネルの固定状態を解除しなくとも開口部を開口することができる。
【００１４】
また、本発明の開閉蓋付きパネルにおいて、前記開閉蓋が前記開口部を開口状態にしたときに、この開口部の上方に全く重ならない状態に前記開閉蓋を維持できることにより、
パネル下方の設備等の点検等の作業時に、開閉蓋が邪魔になって開口部からパネル下方が見難くなることを防止することができる。
【００１５】
また、本発明の開口蓋付きパネルにおいて、前記開閉蓋の下面に、この開閉蓋が前記開口部を開口状態にしたときにこの開閉蓋を略水平状態に支持する支持台を設けたことにより、
開閉蓋が開口部を開いた状態のときに、前記支持台が、開口蓋付きパネルの上面、及び／又は、この隣りのパネルの上面に接地することにより、開閉蓋がそれらのパネル上に略水平状態で載置されるので、開閉蓋があまり上方に突出しない状態となるため、この点からも、開口部からのパネル下方の設備等の点検等の作業時に、開閉蓋が邪魔になってパネル下方が見難くなることを防止することができる。
また前記開閉蓋の下面に支持台を設けたことにより、開閉蓋に上から負荷がかかってもその負荷をこの支持台が受けることができるので、開閉蓋が破損することを防止することができる。
【００１６】
また、本発明の開口蓋付きパネルにおいて、前記リンクアームが、前記開閉蓋が前記開口部を開口状態にしたときに前記開口部の周縁部の部材と干渉しないような形状に形成されたことにより、
開閉蓋が開口部を開口する動作の途中でリンクアームが開口部の周縁部の部材と干渉することにより開閉蓋がパネルから離れた上方で停止してしまうことを防止することができると共に、リンクアームに歪みや破損等が発生することを防止することができる。
【発明を実施するための最良の形態】
【００１７】
以下、本発明に係る開閉蓋付きパネルを実施するための最良の形態について、図面に基づいて具体的に説明する。
図１から図６は、本発明の一実施の形態に係る開閉蓋付きパネル２について説明するために参照する図である。
【００１８】
本実施の形態に係る開閉蓋付きパネル２は、図１及び図２に示すように、枠部材４、開閉蓋６、及び４本のリンクアーム８，１０，１２，１４を備えている。枠部材４は、後述するような一般的なフロアパネル６２（図５，６参照）と同様に、その全体形状が略板状であって、図１に示すように、その平面形状の外形が略正方形に形成されている。
【００１９】
以下の説明においては、便宜上、枠部材４における略正方形の外形の一の辺が伸びる方向（図１中、縦方向）をＹ方向と呼び、このＹ方向と直角の方向（図１中、横方向）をＸ方向と呼ぶこととする。
【００２０】
枠部材４には、その平面形状の中央部に、開口形状が略正方形であって、この枠部材４の厚さ方向（図１中、紙面に垂直の方向）に貫通する点検口１６（開口部）が形成されている。この点検口１６には、図２に示すように、開閉蓋６の厚さ寸法とほぼ同じ深さ寸法の蓋受け部１８が、点検口１６の全周にわたり、その内周面より外側に拡張して形成されている。
【００２１】
また、枠部材４は、図１に示すように、固定軸２０，２２，２４，２６を有しており、固定軸２０，２２は、点検口１６の内周面であって、枠部材４のＹ方向に直角の、互いに対向する２つの面１９ａ，１９ｂのうちの一方の面１９ａに植設されていて、固定軸２４，２６は、他方の面１９ｂに植設されている。
【００２２】
固定軸２０，２２のそれぞれは、その軸線方向が枠部材４のＹ方向に平行であって、点検口１６の一方の面１９ａにおける枠部材４のＸ方向の一方の端部寄り（図１中、右寄り）の位置、及び同方向の中間位置に植設されている。また、固定軸２４は、点検口１６の他方の面１９ｂにおける、固定軸２０と同一軸線上の位置に植設されており、固定軸２６は、点検口１６の他方の面１９ｂにおける、固定軸２２と同一軸線上の位置に植設されている。
【００２３】
固定軸２０は、図３に示すように、その基端部（図中上端部）が点検口１６の面１９ａに溶接等により固定されている大径部２０ａと、大径部２０ａよりも直径が小さい小径部２０ｂを先端部に有して構成されている。
【００２４】
図１に示す固定軸２２は、固定軸２０とほぼ同様の形状に形成されているが、その軸線方向における大径部２２ａの長さが、固定軸２０の大径部２０ａの長さよりも短く形成されている。また、固定軸２４は、固定軸２０と同様の形状で反対の向きに形成されており、固定軸２６は、固定軸２２と同様の形状で反対の向きに形成されている。
【００２５】
次に、開閉蓋６は、図１及び図２に示すように、その全体形状が板状であって、その平面形状の外形が、点検口１６の開口形状より１回り大きな形状に形成されている。開閉蓋６は、開閉自在に点検口１６を閉止するようになっており、図１に示すように、閉止時においては、その全周の縁部が、枠部材４の蓋受け部１８上に載置されるようになっている。
【００２６】
また、開閉蓋６には、図１及び図２に示すように、この開閉蓋６のＹ方向（図２において紙面に垂直の方向）と平行方向に伸びる軸部材２８，３０のそれぞれが、開閉蓋６におけるそのＸ方向（図２中の横方向）の中間位置、及び枠部材４の固定軸２０，２４とは反対側の端部寄り（図２中の左寄り）の位置に、開閉蓋６の下面から一定距離だけ下方に離れて設けられている。
【００２７】
開閉蓋６の下面には、軸部材２８における、枠部材４の点検口１６の一方の面１９ａ側の一端部２８ａ、及びこれとは反対側の他端部２８ｂのそれぞれに対応する位置に、２つの軸固定部材３２が固定されている。軸部材２８の一端部２８ａは、図４に示すように、この軸固定部材３２に形成された孔部３２ａに、この軸固定部材３２よりも一定長さ分だけ外側（図中上側）に突出するように嵌合して固定されている。
【００２８】
また、図１に示す軸部材２８の他端部２８ｂは、上記一端部２８ａが軸固定部材３２に固定されるのと同様に軸固定部材３２に固定されている。
【００２９】
また、開閉蓋６の下面には、軸部材３０における、枠部材４の点検口１６の一方の面１９ａ側の一端部３０ａ、及びこれとは反対側の他端部３０ｂのそれぞれに対応する位置に、やはり２つの軸固定部材３２が固定されており、軸部材３０の両端部は、やはりこの２つの軸固定部材３２に固定されている。また、軸部材３０は、その一端部３０ａの一定長さ部分、及び他端部３０ｂの一定長さ部分のそれぞれが、対応する軸固定部材３２よりも外側に突出するように固定されている。
【００３０】
また、開閉蓋６には、図１及び図２に示すように、その下面に下方に高さを有する４つの支持台３４が固定されている。この４つの支持台３４は、互いに同じ高さを有している。
【００３１】
また、開閉蓋６には、２つの回転取っ手ユニット３６が取り付けられている。回転取っ手ユニット３６は、開閉蓋６のＸ方向に平行な回動軸を中心に回動自在となるように、開閉蓋６に回動軸を介して取付けられた取っ手３６ａを有している。この取っ手３６ａは、図３に示すように、その回動軸を半径中心とする半円形状に形成されている。
【００３２】
取っ手３６ａは、非使用時は円弧状の部分が開閉蓋６の下方に格納されて、半円形状の円弧の両端を結ぶ平坦面だけが開閉蓋６の上面と同一平面状に露出する、図３に示すような状態となる。そして、上記平坦面の一端部を指等で押す等により回転取っ手ユニット３６が回動して、図示しないが、円弧状の部分が開閉蓋６の上側に露出した状態にされて、円弧状の部分の内側に手の指等を入れて、開閉蓋６と共に持ち上げることができるようになっている。
【００３３】
次に、図１及び図２に示すように、リンクアーム８の長さ方向の一方の端部８ａが、固定軸２０に回動自在に連結されている。リンクアーム８の端部８ａには、図３に示すように、孔部３８が形成されており、この孔部３８には、枠部材４の点検口１６における面１９ａとは反対側の方向から、合成樹脂製のフランジ付きブッシュ４０が挿通されている。
【００３４】
上記ブッシュ４０は、そのフランジ部分とは反対側の先端部がリンクアーム８の孔部３８から突出しており、この突出した先端部の外側に、合成樹脂製のワッシャ４２が嵌合している。そして、上記ブッシュ４０の中空孔には、そのブッシュ４０の先端部側から固定軸２０の小径部２０ｂが挿通している。
【００３５】
これにより、フランジ付きブッシュ４０におけるそのフランジ部分とは反対側の先端面、及びワッシャ４２におけるリンクアーム８とは反対側の面は、固定軸２０の大径部２０ａにおける小径部２０ｂの付け根の周囲の円環状の端面に接触すると共に、ブッシュ４０のフランジ部分とは反対側の先端面は、固定軸２０の上記円環状の端面に接触しないようになっている。
【００３６】
また、固定軸２０は、その小径部２０ｂの先端部が、ブッシュ４０の中空孔を突き抜けていて、小径部２０ｂの先端部には、フランジ付きブッシュ４０、リンクアーム８の端部８ａ、及びワッシャ４２が、この小径部２０ｂから抜け落ちてしまうのを防止する抜け止め部材４４が設けられている。
【００３７】
抜け止め部材４４には、その外周面に開口して内周まで貫通するネジ孔が半径方向に形成されていて、このネジ孔に止めネジ４５がねじ込まれることにより、抜け止め部材４４は小径部２０ｂに固定されている。このような構造により、リンクアーム８の端部８ａは、固定軸２０に回動自在に連結されている。
【００３８】
また、リンクアーム８は、図１及び図２に示すように、その長さ方向における一端部８ａとは反対側の他端部８ｂが、開閉蓋６が有する軸部材２８の一端部２８ａに回動自在に連結されている。リンクアーム８の他端部８ｂは、リンクアーム８の一端部８ａが枠部材４の固定軸２０に回動自在に連結している構造と同様の構造により、軸部材２８の一端部２８ａに回動自在に連結されている。
【００３９】
すなわち、リンクアーム８の他端部８ｂには、図４に示すように、図３に示す一端部８ａの孔部３８と同様の孔部４６が形成されていると共に、前記フランジ付きブッシュ４０、及びワッシャ４２のそれぞれに相当するブッシュ４８、及びワッシャ５０が組み付けられて、軸部材２８の一端部２８ａに回動自在に連結されている。
【００４０】
また、軸部材２８の一端部２８ａには、図３に示す抜け止め部材４４に相当する抜け止め部材５２が、止めネジ５３により固定されており、フランジ付きブッシュ４８、リンクアーム８の他端部８ｂ、及びワッシャ５０が、軸部材２８の一端部２８ａから抜け落ちないようになっている。
【００４１】
また、軸部材２８には、軸固定部材３２に対して、自身が軸線方向の他端部２８ｂ側から一端部２８ａ側に向かう方向（図４中、下側から上側へ向かう方向）にずれていってしまうのを防止するために、軸固定部材３２の内側に、合成樹脂製のワッシャ５４が配置され、抜け止め部材５６が、止めネジ５７により固定されている。
【００４２】
次に、図１に示すリンクアーム１０の両端部１０ａ，１０ｂのそれぞれは、リンクアーム８の両端部８ａ，８ｂのそれぞれが、枠部材４の固定軸２０、及び開閉蓋６が有する軸部材２８の一端部２８ａに回動自在に連結される構造と同様の構造により、枠部材４の固定軸２２、及び開閉蓋６が有する軸部材３０の一端部３０ａに回動自在に連結されている。
【００４３】
また、リンクアーム１２の両端部１２ａ，１２ｂのそれぞれも、やはり、リンクアーム８の両端部８ａ，８ｂのそれぞれが、固定軸２０、及び軸部材２８の一端部２８ａに回動自在に連結される構造と同様の構造により、枠部材４の固定軸２４、及び開閉蓋６が有する軸部材２８の他端部２８ｂに回動自在に連結されている。また、リンクアーム１４の両端部１４ａ，１４ｂのそれぞれも上記と同様に、枠部材４の固定軸２６、及び開閉蓋６が有する軸部材３０の他端部３０ｂに回動自在に連結されている。
【００４４】
リンクアーム８，１２は、互いに対応する一端部８ａ，１２ａのそれぞれが、同一の回動軸線上で枠部材４の固定軸２０，２４に回動自在に連結されていると共に、互いに対応する他端部８ｂ，１２ｂのそれぞれが、同一の回動軸線上で軸部材２８の両端部２８ａ，２８ｂに回動自在に連結されているので、リンクアーム８の両端部８ａ，８ｂの回動軸線間の直線距離と、リンクアーム１２の両端部１２ａ，１２ｂの回動軸線間の直線距離は、互いに同じ長さに設定されている。
【００４５】
また、このようにリンクアーム８，１２それぞれの回動軸線間の直線距離が互いに同じ長さに設定されているのと同様に、リンクアーム１０，１４それぞれの回動軸線間の直線距離も、互いに同じ長さに設定されている。そして、リンクアーム８，１２の回動軸線間の直線距離と、リンクアーム１０，１４の回動軸線間の直線距離の両者は、互いにほぼ同じ長さとなるように設定されている。
【００４６】
また、リンクアーム８は、図６に示すように、開閉蓋６が点検口１６を開いた時において、リンクアーム８の近傍に配置される点検口１６の周縁部の枠部材４と干渉しないように、その一端部８ａが折曲がって、全体としてＪ字状に形成されている。リンクアーム１０，１２，１４も、リンクアーム８の形状と同様にその一端部１０ａ，１２ａ，１４ａが折曲がって、全体としてＪ字状に形成されている。
【００４７】
本実施の形態に係る開閉蓋付きパネル２は、図５に示すように、点検口１６を備えていない、通常のフロアパネル６２と互いに隣合うように、ほぼ水平に配置され、通常のフロアパネル６２と同様に、水平なフレーム６４上にパネル固定用部材６６を介して載置される。
【００４８】
開閉蓋付きパネル２は、開閉蓋６が点検口１６を閉止している状態から、回転取っ手ユニット３６の取っ手３６ａの一端部を下方に押し込むことによりその他端部を上方に突出させて、それまで開閉蓋６の下方にあった円弧状の部分を開閉蓋６の上面より上方に露出させ、この円弧状の部分に手の指を引掛けて開閉蓋６全体を上方に持ち上げることができる。
【００４９】
その後、図６に示すように、リンクアーム８，１０，１２，１４を回動させながら開閉蓋６を、弧状を描く矢印方向に移動させていくことにより、この開閉蓋６が点検口１６を開くことができるようになっている。また、逆方向の動作手順により、再び開閉蓋６で点検口１６を閉止することができるようになっている。
【００５０】
開閉蓋６は、このような開閉の動作中において、リンクアーム８，１２の回動軸線間の直線距離と、リンクアーム１０，１４の回動軸線間の直線距離の両者が、互いにほぼ同じ長さに設定されていることにより、常に略水平の状態に維持することが可能である。
【００５１】
また、開閉蓋６が、点検口１６を開き終った状態においては、その支持台３４が、点検口開閉蓋付きパネル２の枠部材４の上面、或いは隣のフロアパネル６２の上面に接地して、開閉蓋６を略水平の状態にして支持するようになっている。
【００５２】
このような本実施の形態に係る開閉蓋付きパネル２によれば、フリーアクセスフロアの下方の各種配線等に対する点検等の作業時において、開閉蓋６が点検口１６を開いても、開閉蓋６はリンクアーム８，１０，１２，１４を介して枠部材４に連結されているので、開閉蓋６が枠部材４の点検口１６から落下するのを防止することができる。
【００５３】
また、開閉蓋６が点検口１６を開き終った後は、開閉蓋６は、開閉蓋付きパネル２やフロアパネル６２の上に水平状態で載置されるので、開閉蓋６が上方に突出することがなく、また、開閉蓋６の周縁部が点検口１６の蓋受け部１８に全く重なることがないため、開閉蓋６が下方の設備等の点検等の作業の障害となってしまうのを防止することができる。
【００５４】
また、本実施の形態に係る開閉蓋付きパネル２によれば、耐震等の目的で開閉蓋付きパネル２が前記フレーム６４に固定されている場合であっても、パネル２は固定したままで、開閉蓋６により点検口１６を開閉することができるので、開口部を開閉するためにパネルの固定状態を解除する必要が無い。
【００５５】
また、本実施の形態に係る開閉蓋付きパネル２によれば、開閉蓋６の下面に支持台３４が設けられていることにより、開閉蓋６が点検口１６を開いた状態のときに、支持台３４が、開口蓋付きパネル２の上面、及び／又は、この隣りのフロアパネル６２の上面に接地することにより、開閉蓋６がそれらのパネル上に略水平状態で載置されるので、開閉蓋６があまり上方に突出しない状態となるため、この点からも、開閉蓋６が下方の各種配線等の点検等の作業の障害となってしまうのを防止することができる。
【００５６】
また開閉蓋６の下面に支持台３４が設けられていることにより、開閉蓋６に上から負荷がかかったとしても、その負荷をこの支持台３４が受けることができるので、開閉蓋６が破損することを防止することができる。
【００５７】
また、本実施の形態に係る開閉蓋付きパネル２によれば、開閉蓋６が点検口１６を開閉する作動時に、開閉蓋６はその平面が水平状態に維持されるので、この開閉蓋６による点検口１６の開閉動作を容易にすることができる。
【００５８】
また、本実施の形態に係る開閉蓋付きパネル２によれば、リンクアーム８，１２を略Ｊ字状に形成したことにより、開閉蓋６が点検口１６を開口状態にしたときに、リンクアーム８，１２の端部８ａ，１２ａが点検口１６の周縁部の枠部材４と干渉するのを防止することができるので、開閉蓋６が点検口１６を開口する動作の途中で上記干渉により、パネル２や６２から離れたそれらの上方で停止してしまうことを防止することができると共に、リンクアーム８，１２に歪みや破損等が発生することを防止することができる。
【００５９】
すなわち、本実施の形態に係る開閉蓋付きパネル２によれば、開閉蓋６が点検口１６を開くときに、リンクアーム８，１２の端部８ａ，１２ａが、水平方向において点検口１６の周縁部に対応する枠部材４に近付いていくときに、鉛直方向において枠部材４から遠ざかる側に端部８ａ，１２ａの折れ曲がり部が突出するように、リンクアーム８，１２のそれぞれがＪ字状に形成されていることにより、開閉蓋６が点検口１６を開いた状態のときに、リンクアーム８，１２の端部８ａ，１２ａが、点検口１６の周縁部の枠部材４に接触する（干渉する）のを防止することができる。
【００６０】
なお、本実施の形態に係る開閉蓋付きパネル２においては、図１に示すように、４本のリンクアーム８，１０，１２，１４を備えるようになっていたが、このリンクアームは４本以外の本数を備えるようになっていてもよい。例えば、リンクアーム１０，１４を備えないようにして、リンクアーム８，１２だけを備えるようになっていてもよい。また、リンクアーム８，１２を備えないようにして、リンクアーム１０，１４だけを備えるようになっていてもよい。
【００６１】
すなわち、長さ方向の一方の端部同士が、枠部材４に同一の回動軸線上で回動自在に連結されると共に、他方の端部同士が、開閉蓋６にやはり同一の回動軸線上で回動自在に連結される複数のリンクアームだけを備えるようなっていてもよい。
【００６２】
他方、リンクアーム１０，１２を備えないようにして、対角位置に配置されるリンクアーム８，１４だけを備えるようになっていてもよい。また、リンクアーム８，１４を備えないようにして、リンクアーム１０，１２だけを備えるようになっていてもよい。或いは、５本以上のリンクアームを備えるようになっていてもよい。
【００６３】
また、本実施の形態に係る開閉蓋付きパネル２においては、支持台３４を備えていたが、備えないようになっていてもよい。また、本実施の形態に係る点検口開閉蓋付きパネル２においては、４つの支持台３４を備えていたが、１つから３つのいずれか、又は５つ以上の支持台３４を備えるようになっていてもよい。
【００６４】
また、本実施の形態に係る開閉蓋付きパネル２において、リンクアーム８，１０，１２，１４の形状はＪ字状に折曲がって形成されていたが、開閉蓋６が点検口１６を開いたときに、リンクアーム８，１２の近傍に配置された、点検口１６の周縁部に対応する枠部材４と干渉しないような形状であれば、例えばＣ，Ｌ，Ｓ字状等の他の字状の形状、或は字以外のどのような形状に形成してもよい。
【００６５】
またリンクアーム８，１０，１２，１４は、リンクアーム８，１２の近傍の点検口１６の周縁部に対応する枠部材４と干渉しないような手段を講じることにより、直線的な棒状に形成されていてもよい。或は図６に示すように、リンクアーム８，１２の近傍の点検口１６に対応する枠部材４に接触するおそれがないリンクアーム１０，１４だけが、直線的な棒状に形成されていてもよい。
【００６６】
また、本実施の形態に係る開閉蓋付きパネル２では、図６に示すように、一部の支持台３４が、点検口開閉蓋付きパネル２の枠部材４の上面と、隣のフロアパネル６２の上面の両方にまたがって接地しているが、リンクアーム８，１０，１２，１４の長さを長く設定しておくことにより、全ての支持台３４が、隣のフロアパネル６２の上面に接地するようになっていてもよい。
【００６７】
また、本実施の形態に係る開閉蓋付きパネル２においては、開閉蓋６に２つの回転取っ手ユニット３６が設けられていたが、この２つの回転取っ手ユニット３６の代わりに、手の指やフック形状の工具等の先端部を挿入することができるくらいの大きさの孔部を形成して、手の指やフック形状の工具等を引掛けることにより、点検口１６を閉止する状態の開閉蓋６を、上方に持ち上げるように開くことができるようにしてもよい。
【００６８】
また、本実施の形態に係る開閉蓋付きパネル２の開閉蓋６は、その枠部材４の蓋受け部１８に対応する全周の縁部に、ゴム板等の弾性材が貼り付けられていてもよい。
【００６９】
また、本実施の形態に係る開閉蓋付きパネル２においては、その上面側から開閉蓋６を持ち上げて開閉するようになっていたが、開閉蓋６の裏面に取っ手を設けることにより、床下側からも開閉蓋６を容易に開閉できるようにしてもよい。
【００７０】
例えば、クリーンルームのように床下空間が十分に広い場合には、床下にいる人が開閉蓋６を開閉する場合があるかもしれない。このようなとき、床下にいる人は開閉蓋６を開くときは容易に開くことができるが、開閉蓋６を閉じるときは容易ではないかもしれない。このため、開閉蓋６の裏面に取っ手を設けることにより、開閉蓋６を閉じるときも容易に閉じることができるようにすることができる。
【００７１】
また、本実施の形態に係る開閉蓋付きパネル２においては、開閉蓋６が点検口１６を開き終った後は、開閉蓋６の周縁部が点検口１６の蓋受け部１８に全く重なることがなく、すなわち点検口１６を全開にすることができるように構成される場合について説明したが、点検口１６は必ずしも全開にしなくともよく、その場合でも開閉蓋６の下方の各種配線等の点検等の作業が可能であることは言うまでもない。
【００７２】
また、本実施の形態に係る開閉蓋付きパネル２は、フリーアクセスフロアのフロアパネルとして用いられていたが、フリーアクセスフロアのフロアパネル以外の用途に用いられるものであってもよい。
【図面の簡単な説明】
【００７３】
【図１】本発明の一実施の形態に係る開閉蓋付きパネル２を示す平面図である。
【図２】図１に示す開閉蓋付きパネル２のＡ−Ａ線矢視の側面断面図である。
【図３】図１に示すリンクアーム８の端部８ａと固定軸２０との連結構造を示すＢ−Ｂ線矢視の拡大断面図である。
【図４】図１に示すリンクアーム８の端部８ｂと軸部材２８の端部２８ａとの連結構造を示すＣ−Ｃ線矢視の拡大断面図である。
【図５】本発明の一実施の形態に係る開閉蓋付きパネル２をフレーム６４上に載置した状態を示す図であって、開閉蓋６が閉まっている状態を示す側面断面図である。
【図６】本発明の一実施の形態に係る開閉蓋付きパネル２をフレーム６４上に載置した状態を示す図であって、開閉蓋６が開いた状態を示す側面断面図である。
【符号の説明】
【００７４】
２  開閉蓋付きパネル
４  枠部材
６  開閉蓋
８  リンクアーム
８ａ，８ｂ  端部
１０  リンクアーム
１０ａ，１０ｂ  端部
１２  リンクアーム
１２ａ，１２ｂ  端部
１４  リンクアーム
１４ａ，１４ｂ  端部
１６  点検口
１８  蓋受け部
１９ａ，１９ｂ  面
２０  固定軸
２０ａ  大径部
２０ｂ  小径部
２２  固定軸
２２ａ  大径部
２４，２６  固定軸
２８  軸部材
２８ａ，２８ｂ  端部
３０  軸部材
３０ａ，３０ｂ  端部
３２  軸固定部材
３２ａ  孔部
３４  支持台
３６  回転取っ手ユニット
３６ａ  取っ手
３８  孔部
４０  フランジ付きブッシュ
４２  ワッシャ
４４  抜け止め部材
４５  止めネジ
４６  孔部
４８  フランジ付きブッシュ
５０  ワッシャ
５２  抜け止め部材
５３  止めネジ
５４  ワッシャ
５６  抜け止め部材
５７  止めネジ
６２  フロアパネル
６４  フレーム
６６  パネル固定用部材
【図１】
2008231669.tif 000003
【図２】
2008231669.tif 000004
【図３】
2008231669.tif 000005
【図４】
2008231669.tif 000006
【図５】
2008231669.tif 000007
【図６】
2008231669.tif 000008